Podtech/llm-jp-corpus-v4-ja_patent huggingface dataset:
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
被検体又は対象のボリュメトリック画像データからの関心ボクセルに関するボクセル分布の局所加重ヒストグラムに基づいて生成されるスケーリングされていない不規則性マップを取得するステップであって、前記局所加重ヒストグラムが、予め決められたビン幅をもつ複数のビンを有し、局所重みが、予め決められたクラスタ長に基づいて決定される、ステップと、
前記スケーリングされていない不規則性マップをスケーリングして、スケーリングされた不規則性マップを生成するステップであって、前記スケーリングされていない不規則性マップが、少なくともヒストグラムビン幅に基づいてスケーリングされる、ステップと、
を含む方法。
【請求項２】
エントロピー値により前記スケーリングされた不規則性マップを表現するステップを更に含む、請求項１に記載の方法。
【請求項３】
前記局所加重ヒストグラムの一様性の逆数又は局所加重高次ヒストグラムの高次統計の１又は複数により、前記スケーリングされた不規則性マップを表現するステップを更に含み、前記高次ヒストグラムは同時生起行列に基づき、前記高次統計は、エントロピー又は一様性関数の逆数を含む、請求項１に記載の方法。
【請求項４】
前記ヒストグラムビン幅の対数の関数として、前記スケーリングされていない不規則性マップをスケーリングする、請求項１乃至３のいずれか１項に記載の方法。
【請求項５】
前記スケーリングされた不規則性マップが、前記ヒストグラムビン幅から独立している、請求項１乃至４のいずれか１項に記載の方法。
【請求項６】
予め決められたビン幅及び予め決められたクラスタ長が、前記不規則性マップの最も高い規定を与えるように最適化される、請求項１に記載の方法。
【請求項７】
特定のヒストグラム重みマスクの使用及び最大の画像値レンジにより、測定可能な最大エントロピーが利用可能な最大エントロピーに等しい又はそれより小さくなるように、最小ビン幅を算定するステップを更に含む、請求項６に記載の方法。
【請求項８】
画像ノイズに基づいて、関心のある最大ビン幅を決定するステップを更に含む、請求項６又は７に記載の方法。
【請求項９】
前記不規則性マップの値の分散及び移動平均の積を最大にすることに基づいて、最適ビン幅及び最適クラスタ長を決定するステップを更に含む、請求項６に記載の方法。
【請求項１０】
画像ノイズに基づいて前記スケーリングされていない不規則性マップをスケーリングするステップを更に含む、請求項１乃至９のいずれか１項に記載の方法。
【請求項１１】
加えられたノイズを有する実際のテクスチャヒストグラムであるヒストグラム全体から、所与のノイズヒストグラムを直接的に逆畳み込みすることによって、前記スケーリングされていない不規則性マップをスケーリングするステップを更に含む、請求項１０に記載の方法。
【請求項１２】
造影剤濃度に基づいて、前記スケーリングされていない不規則性マップをスケーリングするステップを更に含む、請求項１乃至１０のいずれか１項に記載の方法。
【請求項１３】
造影剤スキャンの平均画像値と非造影剤スキャンの平均画像値の間の差の負対数の関数として、前記スケーリングされていない不規則性マップをスケーリングするステップを更に含む、請求項１２に記載の方法。
【請求項１４】
前記スケーリングされた不規則性マップ又は前記スケーリングされていない不規則性マップの少なくとも一方を、前記ボリュメトリック画像データと並べて又は前記ボリュメトリック画像データと融合して、視覚的に表示するステップを更に含む、請求項１乃至１３のいずれか１項に記載の方法。
【請求項１５】
被検体又は対象のボリュメトリック画像データからの関心ボクセルに関するボクセル分布の局所加重ヒストグラムに基づいて生成されるスケーリングされていない不規則性マップを取得する、スケーリングされた不規則性マップ生成器を有し、前記局所加重ヒストグラムは、予め決められたビン幅及び予め決められたクラスタ長をもつ複数のビンを有し、前記スケーリングされた不規則性マップ生成器は、前記スケーリングされていない不規則性マップをスケーリングして、スケーリングされた不規則性マップを生成するヒストグラムビン幅スケーラを有し、前記スケーリングされていない不規則性マップは、ヒストグラムビン幅、画像ノイズ又は造影剤濃度の少なくとも１つに基づいてスケーリングされる、画像データ処理システム。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
撮像プローブと、
前記撮像プローブに関連付けられる位置及び向きの前記撮像プローブによる手動調節を誘導する為の視覚的フィードバックの提示を動的に調整するユーザ誘導処理装置とを備える装置であって、
前記調整が、選択的に、前記撮像プローブの視野と、前記撮像プローブを介して獲得された画像データのセグメント化のそれぞれの結果との比較に基づく調整であり、
前記手動調節の休止を検出する、
装置。
【請求項２】
前記調整が、前記フィードバックを提示することを含み、前記フィードバックが、前記撮像プローブを手動操縦する際のユーザ指示を含む、請求項１に記載の装置。
【請求項３】
前記撮像プローブによって獲得された画像データのグレースケール描写に依拠せず、よって、前記グレースケール描写を提供しない、請求項２に記載の装置。
【請求項４】
前記処理装置が、更に、前記比較のそれぞれに対応する座標系変換を計算する、請求項１に記載の装置。
【請求項５】
前記計算が、前記結果に動的に基づく、請求項４に記載の装置。
【請求項６】
撮像プローブと、
前記撮像プローブに関連付けられる位置及び向きの前記撮像プローブによる手動調節を誘導する為の視覚的フィードバックの提示を動的に調整するユーザ誘導処理装置とを備える装置であって、
前記調整が、選択的に、前記撮像プローブの視野と、前記撮像プローブを介して獲得された画像データのセグメント化のそれぞれの結果との比較に基づく調整であり、
前記ユーザ誘導処理装置は、前記比較のそれぞれに対応して座標系変換を計算し、
前記選択が、前記変換の並進及び回転成分の大きさにそれぞれ基づく、
装置。
【請求項７】
前記計算が、前記調節時のそれぞれの休止に応答する、請求項４に記載の装置。
【請求項８】
撮像プローブと、
前記撮像プローブに関連付けられる位置及び向きの前記撮像プローブによる手動調節を誘導する為の視覚的フィードバックの提示を動的に調整するユーザ誘導処理装置とを備える装置であって、
前記調整が、選択的に、前記撮像プローブの視野と、前記撮像プローブを介して獲得された画像データのセグメント化のそれぞれの結果との比較に基づく調整であり、
前記撮像プローブが、センサを備え、前記装置が、前記センサの出力に基づいて、音響結合品質が不十分であることを決定し、前記決定時にユーザ警告を発出する、
装置。
【請求項９】
撮像プローブと、
前記撮像プローブに関連付けられる位置及び向きの前記撮像プローブによる手動調節を誘導する為の視覚的フィードバックの提示を動的に調整するユーザ誘導処理装置とを備える装置であって、
前記調整が、選択的に、前記撮像プローブの視野と、前記撮像プローブを介して獲得された画像データのセグメント化のそれぞれの結果との比較に基づく調整であり、
前記撮像プローブを介して動的に獲得された撮像の内容に応答して、前記調節を停止する為のユーザ警告を発出する、
装置。
【請求項１０】
前記停止を検出する、請求項９に記載の装置。
【請求項１１】
更に、前記停止が行われていることを検出したのに応答して、前記セグメント化を実施する、請求項１０に記載の装置。
【請求項１２】
撮像プローブと、
前記撮像プローブに関連付けられる位置及び向きの前記撮像プローブによる手動調節を誘導する為の視覚的フィードバックの提示を動的に調整するユーザ誘導処理装置とを備える装置であって、
前記調整が、選択的に、前記撮像プローブの視野と、前記撮像プローブを介して獲得された画像データのセグメント化のそれぞれの結果との比較に基づく調整であり、
比較的粗いモードと、比較的細かいモードとで前記セグメント化を行い、より空間的に細かいセグメント化の結果として形成された１つ又は複数のセグメントに基づいてボリューム測定を実施し、前記測定の実施が、前記より空間的に細かいセグメント化の完了に応答する、
装置。
【請求項１３】
撮像プローブと、
前記撮像プローブに関連付けられる位置及び向きの前記撮像プローブによる手動調節を誘導する為の視覚的フィードバックの提示を動的に調整するユーザ誘導処理装置とを備える装置であって、
前記調整が、選択的に、前記撮像プローブの視野と、前記撮像プローブを介して獲得された画像データのセグメント化のそれぞれの結果との比較に基づく調整であり、
停止する指示が、前記フィードバックの一部として、前記プローブの現在の位置及び現在の向きと、前記セグメント化から導出された位置及び向きとの比較の結果を受ける、
装置。
【請求項１４】
撮像プローブを取り扱うユーザを誘導する為のコンピュータプログラムを具現化するコンピュータ可読媒体であって、前記コンピュータプログラムが、複数の作用を実施する為に処理装置によって実行可能な指示を含み、前記複数の作用が、
前記撮像プローブに関連付けられる位置及び向きの前記撮像プローブによる手動調節を誘導する為の視覚的フィードバックの提示を動的に調整する作用を含み、前記調整が、選択的に、前記撮像プローブの視野と、前記撮像プローブを介して獲得された画像データのセグメント化のそれぞれの結果との比較に基づく調整であり、
前記手動調節の休止を検出する、
コンピュータ可読媒体。
【請求項１５】
少なくとも１つの集積回路を備えるユーザ誘導デバイスであって、前記少なくとも１つの集積回路を介して、
撮像プローブに関連付けられる位置及び向きの前記撮像プローブによる手動調節を誘導する為の視覚的フィードバックの提示を動的に調整し、前記調整が、選択的に、前記撮像プローブの視野と、前記撮像プローブを介して獲得された画像データのセグメント化のそれぞれの結果との比較に基づく調整であり、
前記手動調節の休止を検出する、
ユーザ誘導デバイス。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
口腔挿入部と、
検出電子機器を含むボディ部と、
パラメータの変化を測定するために前記検出電子機器と電気通信する少なくとも１つのパラメータセンサと、
前記口腔挿入部内にある、歯面上の物質の存在を検出するためのストリームプローブの検出装置と、
を含む電気歯ブラシであって、
前記検出装置は、第１の流体内に浸漬されるよう構成された遠位プローブ部を含み、
前記遠位プローブ部は、第２の流体の通過を可能にする開口を有する遠位先端を定め、
前記少なくとも１つのパラメータセンサは、前記遠位先端を介する前記第２の流体の通過が、前記遠位先端の前記開口を介する流体の通過を少なくとも部分的に妨害する物質と相関する、前記少なくとも１つのパラメータセンサにより検出された圧力信号の変化の前記検出電子機器による測定に基づく、前記歯面上に存在し得る物質の検出を可能にするよう構成され、前記検出電子機器は、前記圧力信号の変化に基づいて、前記歯面上に存在する前記物質が前記歯面よりも親水性であるかどうかを決定し、前記遠位先端は前記遠位先端が不均一な摩耗プロフィールを有するように、少なくとも２つの異なる材料からなる、電気歯ブラシ。
【請求項２】
前記不均一な摩耗プロフィールは、それぞれが異なる摩耗特性を有する少なくとも２つのゾーンを有する、請求項１に記載の電気歯ブラシ。
【請求項３】
前記少なくとも２つのゾーンのうちの少なくとも１つは、第２の材料内に埋め込まれた第１の材料を含む、請求項２に記載の電気歯ブラシ。
【請求項４】
前記不均一な摩耗プロフィールは、別の材料の上に配置された材料の層を含む、請求項１に記載の電気歯ブラシ。
【請求項５】
前記不均一な摩耗プロフィールは、２つの異なる摩耗特性を呈するよう２つの異なる処理に従って処理された材料を含む、請求項１に記載の電気歯ブラシ。
【請求項６】
前記不均一な摩耗プロフィールは、２つの異なる摩耗特性を呈するよう２つの異なる方向に従って方向づけられた材料を含む、請求項１に記載の電気歯ブラシ。
【請求項７】
前記不均一な摩耗プロフィールは、丸められた遠位先端を含む、請求項１に記載の電気歯ブラシ。
【請求項８】
前記不均一な摩耗プロフィールは、２つの異なる壁厚を有する不均一な壁厚を含む、請求項１に記載の電気歯ブラシ。
【請求項９】
前記不均一な摩耗プロフィールは高い地点と低い地点とを含み、前記摩耗特性は前記低い地点より前記高い地点において速い、請求項１に記載の電気歯ブラシ。
【請求項１０】
歯面上の物質の存在を検出するための方法であって、前記方法は、
第２の流体の通過を可能にする開口を有する遠位先端を定める遠位プローブ部を第１の流体内に浸漬させるステップと、
前記遠位先端を介する前記第２の流体の通過により、前記遠位先端の前記開口を介する流体の通過を少なくとも部分的に妨害する物質と相関する、少なくとも１つのパラメータセンサにより検出された圧力信号の変化の検出電子機器による測定に基づき、前記歯面上に存在し得る物質を前記少なくとも１つのパラメータセンサによって検出するステップとを含み、前記検出電子機器は、前記圧力信号の変化に基づいて、前記歯面上に存在する前記物質が前記歯面よりも親水性であるかどうかを決定し、そうである場合、前記検出電子機器は、聴覚又は視覚アラームのうちの少なくとも１つを提供する、方法。
【請求項１１】
前記検出電子機器は、前記圧力信号の変化に基づいて、前記歯面上に存在する前記物質が歯垢であるかどうかを決定する、請求項１０に記載の方法。
【請求項１２】
前記検出電子機器は、前記歯面上に存在する前記物質が歯垢であることを決定した場合、歯垢のレベルが歯垢の所定の最大許容レベルを上回るかどうかを決定する、請求項１１に記載の方法。
【請求項１３】
前記検出電子機器は、歯垢のレベルが歯垢の所定の最大許容レベルを上回ることを決定した場合、歯垢のレベルが歯垢の前記所定の最大許容レベルを上回った領域内の前記歯面を、歯垢のレベルがもはや歯垢の前記所定の最大許容レベルを超えないような時間まで清掃するためのフィードバックをユーザーに提供する、請求項１２に記載の方法。
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
圧力生成装置と、患者インタフェース装置に結合される電気管アセンブリと、を有する呼吸療法システムのためのアダプタ装置であって、前記圧力生成装置は、前記電気管アセンブリが第１の筐体に接続されることを可能にするため、前記電気管アセンブリの第２の係合部材と係合するように構成された第１の係合部材を持つ前記第１の筐体を持つ出力ポートを含み、前記アダプタ装置は、
前記電気管アセンブリに滑らかに結合される第１のポート部材を有する第１の端部と、
前記圧力生成装置によって生成される呼吸ガスのフローを受ける第２のポート部材を有する第２の端部と、
前記電気管アセンブリと前記圧力生成装置との間に電気的な接続を与えるために、前記電気管アセンブリに電気的に結合される第１の電気コネクタと、前記圧力生成装置に電気的に結合される第２の電気コネクタとを有するワイヤアセンブリと、
前記第１の係合部材の構成とマッチする構成を持つ第３の係合部材であって、前記電気管アセンブリが前記アダプタ装置に接続されることを可能にするため、前記電気管アセンブリの前記第２の係合部材と係合するように構成された前記第３の係合部材と、
を有し、
前記アダプタ装置は、前記第１のポート部材を通じて前記呼吸ガスのフローを前記電気管アセンブリに運ぶ、アダプタ装置。
【請求項２】
前記第２のポート部材に滑らかに結合される第１の端部と、前記圧力生成装置によって生成される前記呼吸ガスのフローを受ける第２の端部とを持つインラインアクセサリ装置を更に有し、前記ワイヤアセンブリが、前記インラインアクセサリ装置の長さ方向に沿って延在する、請求項１記載のアダプタ装置。
【請求項３】
コネクタ筐体を更に有し、前記第１の電気コネクタが、前記コネクタ筐体内に受けられ、保持され、前記第１のポート部材、前記第２のポート部材、及び、前記コネクタ筐体が、流体連通部材の一部として供給され、前記流体連通部材が、前記コネクタ筐体を覆うとともに、前記ワイヤアセンブリの少なくとも一部を受けて保持する筐体を含む、請求項１記載のアダプタ装置。
【請求項４】
前記第１のポート部材が、内部チャンバを持つ結合部材の一部として与えられ、前記結合部材が、追加的な気体が前記内部チャンバへ導入されるように前記内部チャンバへのアクセスを与える気体注入ポートを有する、請求項１記載のアダプタ装置。
【請求項５】
前記第２の端部が、前記結合部材に結合され、前記第２の電気コネクタが、前記圧力生成装置の出力ポートに電気的に結合され、前記第２のポート部材が、前記圧力生成装置の前記出力ポートに滑らかに結合される、請求項４記載のアダプタ装置。
【請求項６】
前記第２の端部が、逆流防止圧力バルブを含む、請求項４記載のアダプタ装置。
【請求項７】
呼吸ガスのフローを生成する圧力生成装置であって、第１の電気コネクタ及び第１の係合部材を持つ第１の筐体を持つ出口ポートを含む前記圧力生成装置と、
患者インタフェース装置と、
遠位端において前記患者インタフェース装置に結合される電気管アセンブリであって、前記電気管アセンブリは、その近位端において供給された第２の筐体を持ち、前記第２の筐体は、第２の電気コネクタ及び第２の係合部材を持ち、前記第２の電気コネクタは、前記圧力生成装置から前記電気管アセンブリに電力信号及び／又は制御信号が供給されることを可能にするため、前記第１の電気コネクタに結合されるように構成され、前記第２の係合部材は、前記第２の筐体が前記第１の筐体に接続されることを可能にするため、前記第１の係合部材と係合するように構成される、前記電気管アセンブリと、
前記圧力生成装置と前記電気管アセンブリとの間に設けられるアダプタ装置と、を有し、
前記アダプタ装置が、
前記電気管アセンブリに滑らかに結合される第１のポート部材を有する第１の端部と、
前記呼吸ガスのフローを受ける第２のポート部材を有する第２の端部と、
前記電気管アセンブリの前記第２の電気コネクタに電気的に結合される第３の電気コネクタと、前記圧力生成装置の前記第１の電気コネクタに電気的に結合される第４の電気コネクタと、を有することにより、前記電気管アセンブリと前記圧力生成装置との間に電気的な接続を与えるワイヤアセンブリと、
前記第１の係合部材の構成とマッチする構成を持つ第３の係合部材であって、前記第２の筐体を前記アダプタ装置に接続するため、前記電気管アセンブリの前記第２の係合部材と係合する前記第３の係合部材と、
を有し、
前記アダプタ装置が、
前記第１のポート部材を通じて、前記電気管アセンブリに前記呼吸ガスのフローを運ぶ、呼吸療法システム。
【請求項８】
前記第２のポート部材に滑らかに結合される第１の端部と、前記圧力生成装置に滑らかに結合される第２の端部とを持つインラインアクセサリ装置を更に有し、前記ワイヤアセンブリが、前記インラインアクセサリ装置の長さ方向に沿って延在する、請求項７記載の呼吸療法システム。
【請求項９】
前記インラインアクセサリ装置が、酸素富化アダプタ、圧力バルブ、又は、バクテリアフィルタを有する、請求項８記載の呼吸療法システム。
【請求項１０】
前記アダプタ装置が、コネクタ筐体を更に有し、前記第３の電気コネクタが、前記コネクタ筐体内に受けられ、保持され、前記第１のポート部材、前記第２のポート部材、及び、前記コネクタ筐体が、流体連通部材の一部として供給され、前記流体連通部材が、前記コネクタ筐体を覆うとともに、前記ワイヤアセンブリの少なくとも一部を受けて保持する筐体を含む、請求項７記載の呼吸療法システム。
【請求項１１】
前記第１のポート部材が、内部チャンバを持つ結合部材の一部として与えられ、前記結合部材が、追加的な気体が前記内部チャンバへ導入されるように前記内部チャンバへのアクセスを与える気体注入ポートを有する、請求項７記載の呼吸療法システム。
【請求項１２】
前記アダプタ装置の前記第２の端部が、前記結合部材に結合され、前記第２のポート部材が、前記圧力生成装置の前記出力ポートに滑らかに結合される、請求項１１記載の呼吸療法システム。
【請求項１３】
前記第２の端部が、逆流防止圧力バルブを含む、請求項１２記載の呼吸療法システム。
【請求項１４】
前記第１の係合部材が、第１のスロット部材であり、前記第２の係合部材が、第２のスロット部材であり、前記第３の係合部材が、タップ部材である、請求項７記載の呼吸療法システム。
【請求項１５】
前記第１の係合部材が、第１のスロット部材であり、前記第２の係合部材が、第２のスロット部材であり、前記第３の係合部材が、タップ部材である、請求項１記載のアダプタ装置。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
周側面に画定された環状凹部を有する円形ハブを備えたカテーテル器具のヘッド部に医療用流体供給チューブを結合させるためのコネクタであって、
上面及び下面を有し、かつ周囲領域を含み、該周囲領域が底平面及び周縁部を有するキャップと、
前記底平面に対して実質的に平行であり、各々が、前記環状凹部に係脱可能に係合するように、前記周囲領域内に画定された互いに半径方向に対向する２つの凹状部位間において前記下面を跨ぐように横架された少なくとも２つのアームと、
前記周囲領域内の前記凹状部位においてそれぞれ配置され、各々が、前記アームを変位させることが可能となるように前記２つのアームの両者に直接結合され、かつ前記上面からアクセス可能であるアーム変位部材とを含み、
前記アーム変位部材が、前記２つのアームのみによって互いに結合されており、
当該コネクタが、前記円形ハブの全周を自由に回転することができるように構成されており、
少なくとも１つのアーム変位部材を、前記周囲領域内の前記互いに半径方向に対向する凹状部位に向けて、対応する凹状部位に嵌入するように半径方向に押すことで、前記周囲領域の前記２つの凹状部位間において少なくとも１つのアームを前記キャップ内で前記周縁部に向けて可逆的に変位させて前記環状凹部から離脱させることによって、当該コネクタを前記円形ハブから取り外すことができるように構成したことを特徴とするコネクタ。
【請求項２】
少なくとも１つのアームが、弾性材料を含むことを特徴とする請求項１に記載のコネクタ。
【請求項３】
当該コネクタを前記ハブ上に置き、かつ前記キャップの前記上面を押して前記環状凹部に前記アームが係合するまで前記キャップの前記下面を前記ハブに向けて変位させることによって、当該コネクタが前記ハブに結合されるように構成したことを特徴とする請求項１に記載のコネクタ。
【請求項４】
前記キャップが、前記アームと前記環状凹部との係合が目視できるようにするためのポートを有し、該ポートが、少なくとも１つのアームの上方に位置することを特徴とする請求項１に記載のコネクタ。
【請求項５】
前記少なくとも１つのアーム変位部材に約２〜１４ニュートンの力が加えられたときに、各アームが空間的に変位させられるように構成されていることを特徴とする請求項１に記載のコネクタ。
【請求項６】
当該コネクタのピッチング動を制限するための変位制限部をさらに含むことを特徴とする請求項１に記載のコネクタ。
【請求項７】
各アームが、前記環状凹部に係脱可能に係合するように構成された上面と、面取り部を有する下面とを有することを特徴とする請求項１に記載のコネクタ。
【請求項８】
当該コネクタを貫通する流体通路を形成する導管をさらに含み、該導管が、前記カテーテル器具に形成された通路に液体を供給するように構成されていることを特徴とする請求項１に記載のコネクタ。
【請求項９】
経腸栄養アセンブリであって、
ベース部、該ベース部を貫通して配置された少なくとも１つの通路、及び前記ベース部上の少なくとも１つの円形ハブを有し、該円形ハブが、半径、上面、周側面及び該周側面に画定された環状凹部を有する経腸栄養器具と、
請求項１に記載のコネクタを備えた経腸栄養延長セットとを含み、
前記コネクタが、前記経腸栄養延長セットと前記経腸栄養器具の少なくとも１つの通路との間の流体連通を可能にするように構成されていることを特徴とする経腸栄養アセンブリ。
【請求項１０】
半径、上面、周側面及び該周側面に画定された環状凹部を有する経腸栄養器具の円形ハブに結合させるための経腸栄養延長セットのコネクタであって、
上面及び下面を有し、かつ周囲領域を含み、該周囲領域が底平面及び周縁部を有するキャップと、
各々が、前記環状凹部に係脱可能に係合するように、前記周囲領域内に画定された互いに半径方向に対向する凹状部位間において前記下面を跨ぐように横架された、少なくとも２つのアームと、
前記周囲領域内の前記凹状部位の各々に配置され、各々が、前記アームを変位させることが可能となるように前記２つのアームの両者に直接結合され、かつ前記上面からアクセス可能であるアーム変位部材とを含み、
前記アーム変位部材が、前記２つのアームのみによって互いに結合されており、
当該コネクタを貫通する流体通路を形成し、かつ前記経腸栄養器具のルーメンに栄養溶液を供給するように構成された導管をさらに含み、
当該コネクタが、前記円形ハブの全周を自由に回転するように構成されており、
少なくとも１つのアーム変位部材を、前記周囲領域内の前記互いに半径方向に対向する凹状部位に向けて、対応する凹状部位に嵌入するように半径方向に押すことで、前記周囲領域の前記２つの凹状部位間において少なくとも１つのアームを前記キャップ内で前記周縁部に向けて可逆的に変位させて前記環状凹部から離脱させることによって、当該コネクタを前記円形ハブから取り外すことができるように構成したことを特徴とするコネクタ。
【請求項１１】
少なくとも１つのアームが、弾性的であることを特徴とする請求項１０に記載のコネクタ。
【請求項１２】
前記キャップが、前記アームと前記円形ハブの前記周側面に画定された前記環状凹部との係合が目視できるようにするためのポートを有し、該ポートが、少なくとも１つのアームの上方に位置することを特徴とする請求項１０に記載のコネクタ。
【請求項１３】
各アームが、前記環状凹部に係脱可能に係合するように構成された上面と、面取り部を有する下面とを有することを特徴とする請求項１０に記載のコネクタ。
【請求項１４】
経腸栄養延長セットであって、
チューブと、
前記チューブに流体連通しており、円形ハブを有する経腸栄養器具に回転可能に結合するように構成されているコネクタとを含み、
前記コネクタが、
上面及び下面を有し、かつ周囲領域を含み、該周囲領域が周縁部を有するキャップと、
各々が、前記円形ハブの周側面に画定された環状凹部に係脱可能に係合するように、前記周囲領域内に画定された互いに半径方向に対向する凹状部位間において前記下面を跨ぐように横架された、少なくとも２つのアームと、
前記周囲領域内の前記凹状部位の各々に配置され、各々が、前記アームを変位させることが可能となるように前記２つのアームの両者に直接結合され、かつ前記上面からアクセス可能であるアーム変位部材とを含み、
前記アーム変位部材が、前記２つのアームのみによって互いに結合されており、
前記コネクタを貫通する流体通路を形成し、かつ前記経腸栄養器具の通路に栄養溶液を供給するように構成された導管をさらに含み、
前記コネクタが前記円形ハブの全周を自由に回転するように、前記コネクタが、前記環状凹部に係合する前記アームによって前記円形ハブに結合されており、
少なくとも１つのアーム変位部材を、前記周囲領域内の前記互いに半径方向に対向する凹状部位に向けて、該凹状部位に嵌入するように半径方向に押すことで、前記アームを前記周囲領域に対して可逆的に変位させて前記環状凹部から離脱させることによって、当該コネクタを前記円形ハブから取り外すことができるように構成したことを特徴とする経腸栄養延長セット。
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
除細動器の動作状態を表示するための方法であって、
前記除細動器の使用可能状態を除細動器セルフテスト回路において自動的に決定するステップと、
前記自動的に決定するステップに応じて、前記除細動器セルフテスト回路からの肯定の制御信号を提供するステップと、
前記視覚的アイコンと前記液晶シャッタと同軸の第２の液晶シャッタを提供するステップと、
前記除細動器の外部表面上に、液晶シャッタによってオーバーレイされる、使用不能状態を示す視覚的アイコンを含む視覚的ディスプレイを提供するステップと、
前記肯定の制御信号を用いて、前記液晶シャッタを不透明状態に駆動するステップと、
を含み、
前記液晶シャッタは、前記駆動するステップに応じて使用可能状態を示す透明な視覚的アイコンを含む、
方法。
【請求項２】
前記肯定の制御信号を用いて前記第２の液晶シャッタを周期的に不透明状態にするステップ
を更に含む、請求項１に記載の方法。
【請求項３】
前記自動的に決定するステップは、前記除細動器のスタンバイ状態又は臨床動作状態のうちの少なくとも１つの間に行われる、請求項１に記載の方法。
【請求項４】
外部ハウジングを有する除細動器であって、
使用可能状態を決定するために動作可能なレディネス状態回路と、
前記レディネス状態回路によって制御され、前記ハウジング上に配置される視覚的表示器と、
を含み、前記視覚的表示器は、
使用不能状態を示すグラフィックアイコンと、
使用可能状態を示す透明アイコンを有する、前記グラフィックアイコンをオーバーレイする液晶シャッタと、
を含み、
前記視覚的表示器は、前記液晶シャッタの前記透明アイコンと前記グラフィックアイコンとの両方と同軸に配置される第２の液晶シャッタを更に含み、
前記レディネス状態回路は、前記液晶シャッタの前記透明アイコンを囲む部分を不透明状態へと駆動するために動作可能である、
除細動器。
【請求項５】
前記グラフィックアイコンは、色付きの背景で囲まれる白色のＸの形式で配置される、請求項４に記載の除細動器。
【請求項６】
前記色付きの背景は赤色である、請求項５に記載の除細動器。
【請求項７】
前記透明アイコンは、チェックマークの形状で配置される、請求項４に記載の除細動器。
【請求項８】
前記グラフィックアイコンは、色付きの背景で囲まれる白色のＸの形式で配置され、前記透明アイコンは、前記グラフィックアイコンの前記白色のＸの部分だけをオーバーレイする、請求項７に記載の除細動器。
【請求項９】
前記レディネス状態回路は、前記第２の液晶シャッタを周期的に不透明状態に駆動するために動作可能である、請求項４に記載の除細動器。
【請求項１０】
前記液晶シャッタは、非通電状態のときに透明状態を有し、これにより前記グラフィックアイコンを露出させて可視とする、請求項４に記載の除細動器。
【請求項１１】
前記レディネス状態回路によって制御される使用不能状態の音声出力を更に含む、請求項１０に記載の除細動器。
【請求項１２】
使用可能状態を示す信号のための入力と、
使用不能状態を示すグラフィックアイコンと、
使用可能状態を示す透明アイコンを有する、前記グラフィックアイコンをオーバーレイする液晶シャッタと、
前記液晶シャッタの前記透明アイコンと前記グラフィックアイコンとの両方と同軸に配置される第２の液晶シャッタと、
を含み、
前記入力は、前記液晶シャッタの前記透明アイコンを囲む部分を不透明状態へと駆動するために動作可能である、
医療機器のための視覚的レディネス表示器。
【請求項１３】
前記グラフィックアイコンは、色付きの背景で囲まれる白色のＸの形式で配置される、請求項１２に記載の視覚的レディネス表示器。
【請求項１４】
前記色付きの背景は赤色である、請求項１３に記載の視覚的レディネス表示器。
【請求項１５】
前記透明アイコンは、チェックマークの形状で配置される、請求項１２に記載の視覚的レディネス表示器。
【請求項１６】
前記グラフィックアイコンは、色付きの背景で囲まれる白色のＸの形式で配置され、前記透明アイコンは、前記グラフィックアイコンの前記白色のＸの部分だけをオーバーレイする、請求項１５に記載の視覚的レディネス表示器。
【請求項１７】
前記レディネス状態回路は更に、前記第２の液晶シャッタを周期的に不透明状態に駆動するために動作可能である、請求項１２に記載の視覚的レディネス表示器。
【請求項１８】
前記液晶シャッタは、非通電状態のときに透明状態を有し、これにより前記グラフィックアイコンを露出させて可視とする、請求項１２に記載の視覚的レディネス表示器。
【請求項１９】
前記レディネス状態回路によって制御される使用不能状態の音声出力を更に含む、請求項１８に記載の視覚的レディネス表示器。
【手続補正書】
【提出日】平成28年11月29日(2016.11.29)
【手続補正１】
【補正対象書類名】明細書
【補正対象項目名】０１２３
【補正方法】変更
【補正の内容】
【０１２３】
本開示の様々な特徴及び態様が以下の特許請求の範囲において記載される。本発明の実施態様の一部を以下の項目［１］−［２１］に記載する。
[１]
医療用手当用品であって、
手当用品本体であって、
第１の主表面と、
該第１の主表面の反対側にあり、皮膚接触接着剤を含む、第２の主表面と、を含む、手当用品本体と、
フラップであって、
第１の主表面と、
該第１の主表面の反対側にある第２の主表面と、
該手当用品本体に連結された固定端と、
自由端であって、該自由端が該手当用品本体と重なる関係に配置されない第１の位置と、該自由端が該手当用品本体と重なる関係に配置される第２の位置との間で、該手当用品本体に対して移動可能である、自由端と、を含む、フラップと、を含み、
少なくとも該フラップの該自由端の該第２の主表面が、該手当用品本体に固定されるように構成され、
該フラップが、該手当用品本体の近位端側に位置し、該手当用品本体の遠位部分に、該フラップが無い、医療用手当用品。
[２]
少なくとも前記フラップの前記自由端の前記第２の主表面が、固定接着剤によって前記手当用品本体に固定されるように構成される、項目１に記載の医療用手当用品。
[３]
前記フラップの前記固定端が、前記固定接着剤で前記手当用品本体の前記第１の主表面に固定される、項目２に記載の医療用手当用品。
[４]
前記フラップの前記第２の主表面の第１の部分は、前記手当用品本体の前記第１の主表面に前記固定接着剤によって固定され、前記フラップの前記第２の主表面の第２の部分は、前記固定接着剤を覆う取り外し可能な剥離ライナを含む、項目２又は３に記載の医療用手当用品。
[５]
前記フラップの前記固定端が、前記手当用品本体と一体形成される、項目１〜４のいずれか一項に記載の医療用手当用品。
[６]
前記皮膚接触接着剤が、シリコーン接着剤を含み、前記固定接着剤が、アクリレート接着剤を含む、項目２〜５のいずれか一項に記載の医療用手当用品。
[７]
前記手当用品本体の前記第２の主表面と皮膚表面との間の接着力が、前記フラップの前記第２の主表面と前記手当用品本体の前記第１の主表面との間の接着力より弱い、項目２〜６のいずれか一項に記載の医療用手当用品。
[８]
前記手当用品本体が、
前記手当用品本体の中央部分を囲む外周部分と、
該外周部分から、前記手当用品本体の中央部分へと延在する凹部と、を更に含む、項目１〜７のいずれか一項に記載の医療用手当用品。
[９]
前記フラップの前記自由端が、前記第２の位置にある場合、前記フラップの前記自由端が、前記手当用品本体の前記凹部の少なくとも一部分に重なる、項目８に記載の医療用手当用品。
[１０]
前記凹部は、前記医療用物品の一部分を、前記手当用品本体の前記第２の主表面から前記手当用品本体の前記第１の主表面まで延在させるように構成され、前記フラップは、前記手当用品本体の前記凹部に隣接する、前記手当用品本体の前記第１の主表面に、前記医療用物品の該部分を固定するように配置される、項目８又は９に記載の医療用手当用品。
[１１]
前記医療用物品が、カテーテルを含むカテーテルシステムを含み、前記医療用物品の前記部分が、挿入部位に対して近位側に位置する、該カテーテルの近位部分を含む、項目１０に記載の医療用手当用品。
[１２]
前記挿入部位が、前記フラップの無い、前記手当用品本体の遠位部分によって覆われる、項目１１に記載の医療用手当用品。
[１３]
前記手当用品本体が、透明窓を含み、前記フラップが、該透明窓に対して近位側に位置する、項目１〜１２のいずれか一項に記載の医療用手当用品。
[１４]
前記フラップが、前記手当用品本体の一部分によって形成され、前記手当用品本体が、基層及び上層を含み、前記フラップが、前記手当用品本体の該上層と該基層との間で前記医療用物品の少なくとも一部分を固定するように、前記手当用品本体の該上層によって形成される、項目１〜１３のいずれか一項に記載の医療用手当用品。
[１５]
前記上層の第２の主表面が、前記基層の第１の主表面に連結されるように配置され、前記基層の第２の主表面が、皮膚に連結されるように構成され、前記基層の該第２の主表面が、シリコーン接着剤を含み、前記上層の該第２の主表面が、アクリレート接着剤を含む、項目１４に記載の医療用手当用品。
[１６]
前記フラップが、リビングヒンジによって前記上層の残りの部分から分割され、該リビングヒンジが、前記手当用品本体の長手方向軸に対して横方向に延在するように配置され、前記上層の遠位部分を近位部分から分割する、項目１４又は１５に記載の医療用手当用品。
[１７]
前記フラップが、互いに対向する複数のフラップのうちの１つである、項目１〜１６のいずれか一項に記載の医療用手当用品。
[１８]
少なくとも前記フラップの前記自由端の前記第２の主表面が、前記固定接着剤を含む、項目２〜１７のいずれか一項に記載の医療用手当用品。
[１９]
前記固定接着剤が、前記手当用品本体の前記第１の主表面上の少なくとも１つの接着性ランディングパッドによって提供される、項目２〜１８のいずれか一項に記載の医療用手当用品。
[２０]
前記フラップが、前記フラップを複数の部分に分割する、少なくとも１つの切れ目を含む、項目１〜１９のいずれか一項に記載の医療用手当用品。
[２１]
前記フラップの前記固定端が、前記手当用品本体の透明窓に対して近位側の位置において前記手当用品本体に連結され、前記フラップの前記自由端が、前記第１の位置から前記第２の位置へ近位側に移動する、項目１〜２０のいずれか一項に記載の医療用手当用品。
【手続補正２】
【補正対象書類名】特許請求の範囲
【補正対象項目名】全文
【補正方法】変更
【補正の内容】
【特許請求の範囲】
【請求項１】
医療用手当用品であって、
手当用品本体であって、
第１の主表面と、
該第１の主表面の反対側にあり、皮膚接触接着剤を含む、第２の主表面と、を含む、手当用品本体と、
フラップであって、
第１の主表面と、
該第１の主表面の反対側にある第２の主表面と、
該手当用品本体に連結された固定端と、
自由端であって、該自由端が該手当用品本体と重なる関係に配置されない第１の位置と、該自由端が該手当用品本体と重なる関係に配置される第２の位置との間で、該手当用品本体に対して移動可能である、自由端と、を含む、フラップと、を含み、
少なくとも該フラップの該自由端の該第２の主表面が、該手当用品本体に固定されるように構成され、
該フラップが、該手当用品本体の近位端側に位置し、該手当用品本体の遠位部分に、該フラップが無い、医療用手当用品。
【請求項２】
少なくとも前記フラップの前記自由端の前記第２の主表面が、固定接着剤によって前記手当用品本体に固定されるように構成される、請求項１に記載の医療用手当用品。
【請求項３】
前記皮膚接触接着剤が、シリコーン接着剤を含み、前記固定接着剤が、アクリレート接着剤を含む、請求項２に記載の医療用手当用品。
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
胃腸管部分の運きを誘発するためのシステムであって、
前記システムは、
経鼻又は経口にて食道内に入れられる大きさで構成される細長部材と、
前記細長部材に取り付けられた又は取り付けることが可能な少なくとも２つの電極であって、ＵＥＳとＬＥＳの間に位置する一連の食道部分を刺激し、一連の食道部分の局部収縮を誘発するように設けられる少なくとも２つの電極と、
前記少なくとも２つの電極に接続された発生器と、
プロセッサ及びメモリを備えるコントローラと、
を備え、
前記メモリは、シグナルシーケンスを生成するために前記発生器をアクティベートさせるプリセットコマンドを保持し、前記プリセットコマンドは、第１電極により与えられる第１シグナルの印加から第１の期間をおいて、第２電極により第２シグナルが与えられるように構成され、前記第１電極は、前記第２電極の近位に位置し、
前記シグナルシーケンスは、前記ＬＥＳの遠位に位置する対象胃腸管部分の運動を誘発する、
システム。
【請求項２】
少なくとも３つの電極を有する、
請求項１に記載のシステム。
【請求項３】
前記メモリはさらに、
シグナルシーケンスを生成するために前記発生器をアクティベートさせるプリセットコマンドを保持し、前記プリセットコマンドは、前記第２電極により与えられる第２シグナルの印加から第２の期間をおいて、第３電極により第３シグナルが与えられるように構成され、前記第２電極は、前記第３電極の近位に位置し、
前記第１の期間と前記第２の期間の少なくとも１つは、０．１秒と２秒の間である、
請求項１又は請求項２に記載のシステム。
【請求項４】
前記シグナルシーケンスは、前記一連の食道部分を２秒から２０秒刺激するように選択される、
請求項１〜請求項３のいずれか１項に記載のシステム。
【請求項５】
前記シグナルシーケンスは、遠位に進行する食道の収縮を誘発するように選択される、
請求項１〜請求項４のいずれか１項に記載のシステム。
【請求項６】
前記対象胃腸管部分は、前記胃、小腸及び大腸の少なくとも１つに位置する、
請求項１〜請求項５のいずれか１項に記載のシステム。
【請求項７】
前記複数のプリセットコマンドは、複数の胃腸管活性化治療とともに選択された胃腸管活性化療法を生成するために構成され、
前記複数のプリセットコマンドはそれぞれ、少なくとも１つのシグナルシーケンスを含む、
請求項１〜請求項６のいずれか１項に記載のシステム。
【請求項８】
前記シグナルシーケンス及び前記シグナルシーケンスに続く休憩シーケンスにより構成される１つのシーケンスサイクルの総持続時間は、０．５分から５分の間であり、必要に応じて１分から２分の間である、
請求項７に記載のシステム。
【請求項９】
前記療法及び前記治療は、患者の摂食の間のシーケンスサイクルが、摂食と摂食の間のシーケンスサイクルよりも短いようにプログラムされる、
請求項７に記載のシステム。
【請求項１０】
前記シグナルは、複数のパルスを含む、
請求項１〜請求項９のいずれか１項に記載のシステム。
【請求項１１】
前記シグナルシーケンスは、複数のパルス列を含む、
請求項１０に記載のシステム。
【請求項１２】
前記電極の少なくとも１つと直接接触し、及び／又は、前記電極の少なくとも１つと隣接し、局部コンディションを測定するために設けられる測定部を有する、
請求項１〜請求項１１のいずれか１項に記載のシステム。
【請求項１３】
前記コントローラは、測定された局部インピーダンスが２，０００オーム以下であり、必要に応じて、具体的には、５００から２，０００オームの間である場合にのみ、前記発生器のアクティベーショを許可するように構成される、
請求項１２に記載のシステム。
【請求項１４】
前記細長部材が食道に位置するときに、胃壁の組織を刺激ように設けられた胃電極を有する、
請求項１〜請求項１３のいずれか１項に記載のシステム。
【請求項１５】
前記メモリは、前記電気シグナル発生器をアクティベートして活性化治療を生成するプリセットコマンドを含み、前記活性化治療は、少なくとも１５分持続し、ＬＥＳの遠位に位置する対象胃腸管部分の運動を誘発する複数のシグナルシーケンスを含む、
請求項１〜請求項１４のいずれか１項に記載のシステム。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
血管内を流れる血液中の一以上の治療薬を濾過するための生体内配置可能濾過装置であって、当該濾過装置が、
伸長部材と、
前記伸長部材に連結された濾過コンポーネントとを備え、
前記伸長部材及び前記濾過コンポーネントが、ヒトまたは非ヒト動物の血管内に位置付けられる寸法にされており、
前記濾過コンポーネントが、血液から治療薬を濾過するための濾過材を備えている、生体内配置可能濾過装置。
【請求項２】
前記伸長部材の遠位端に連結されたフレーム構造を備えており、前記濾過コンポーネントが前記フレーム構造に配置されている、請求項１の生体内配置可能濾過装置。
【請求項３】
前記濾過材が前記治療薬を吸着する材料を含む、請求項１又は２に記載の生体内配置可能濾過装置。
【請求項４】
前記濾過材が前記治療薬に化学的に結合する材料を含む、請求項１から３のいずれか一項に記載の生体内配置可能濾過装置。
【請求項５】
前記濾過材が前記治療薬を捕捉する材料を含む、請求項１から４のいずれか一項に記載の生体内配置可能濾過装置。
【請求項６】
前記濾過材が樹脂を含む、請求項１から５のいずれか一項に記載の生体内配置可能濾過装置。
【請求項７】
前記濾過材がイオン交換樹脂を含む、請求項１から６のいずれか一項に記載の生体内配置可能濾過装置。
【請求項８】
前記濾過材が強酸性カチオン交換ポリマー樹脂を含む、請求項１から７いずれか一項に記載の生体内配置可能濾過装置。
【請求項９】
前記濾過材がイオン交換のないポリマー吸着性樹脂を含む、請求項１から８のいずれか一項に記載の生体内配置可能濾過装置。
【請求項１０】
前記濾過材が、前記治療薬にイオン結合するスルホン酸基を含む樹脂を含む、請求項１から９のいずれか一項に記載の生体内配置可能濾過装置。
【請求項１１】
前記濾過材が炭素を含む、請求項１から１０のいずれか一項に記載の生体内配置可能濾過装置。
【請求項１２】
前記濾過材が活性炭素を含む、請求項１から１１のいずれか一項に記載の生体内配置可能濾過装置。
【請求項１３】
前記濾過材が、ヘパリン、ポリメチル・メタクリレート及びキトサンからなる群より選択される少なくとも一つを含む、請求項１から１２のいずれか一項に記載の生体内配置可能濾過装置。
【請求項１４】
前記ヘパリン、ポリメチル・メタクリレート及びキトサンからなる群より選択される少なくとも一つが、樹脂でコーティングされる、請求項１３の生体内配置可能濾過装置。
【請求項１５】
前記ヘパリン、ポリメチル・メタクリレート及びキトサンからなる群より選択される少なくとも一つが、炭素でコーティングされる、請求項１３又は１４に記載の生体内配置可能濾過装置。
【請求項１６】
前記濾過コンポーネントが抗血栓性である、請求項１から１５のいずれか一項に記載の生体内配置可能濾過装置。
【請求項１７】
前記濾過材が触媒材料である、請求項１から１６のいずれか一項に記載の生体内配置可能濾過装置。
【請求項１８】
前記触媒材料が前記治療薬を酵素的に分解する、請求項１から１７のいずれか一項に記載の生体内配置可能濾過装置。
【請求項１９】
前記濾過コンポーネントが単一の膜を備えており、前記濾過材が前記単一の膜に配置されている、請求項１から１８のいずれか一項に記載の生体内配置可能濾過装置。
【請求項２０】
前記濾過コンポーネントが多重膜を備えており、前記濾過材が前記多重膜の間に配置されている、請求項１から１９のいずれか一項に記載の生体内配置可能濾過装置。
【請求項２１】
前記膜が折り重ねられている、請求項１から２０のいずれか一項に記載の生体内配置可能濾過装置。
【請求項２２】
前記フレーム構造がテーパー状である、請求項１から２１のいずれか一項に記載の生体内配置可能濾過装置。
【請求項２３】
前記濾過材が前記伸長部材に沿って配置されており、前記治療薬を含有する前記血液が前記伸長部材に沿って導かれる、請求項１から２２のいずれか一項に記載の生体内配置可能濾過装置。
【請求項２４】
シースが血液を出すための穴を有する、請求項１から２３のいずれか一項に記載の生体内配置可能濾過装置。
【請求項２５】
前記伸長部材の周囲に同心または偏心に位置付けられたシースをさらに備えている、請求項１から２４のいずれか一項に記載の生体内配置可能濾過装置。
【請求項２６】
前記濾過コンポーネントが、前記シースから出たときに拡張し、かつ前記シースに入るときに抑制されるように付勢される、請求項１から２５のいずれか一項に記載の生体内配置可能濾過装置。
【請求項２７】
前記濾過コンポーネントが前記シースの遠位端から突出するように変位可能であり、前記濾過コンポーネントが拡張状態に付勢され、かつ前記シース内において変位するときに抑制されるように抑制可能である、請求項１から２６のいずれか一項に記載の生体内配置可能濾過装置。
【請求項２８】
前記血管を閉塞して前記血液及び治療薬を前記シース内に導くためのインフレータブルバルーンをさらに備える、請求項１から２７のいずれか一項に記載の生体内配置可能濾過装置。
【請求項２９】
前記濾過装置が前記血管に順応するように可鍛性である、請求項１から２８のいずれか一項に記載の生体内配置可能濾過装置。
【請求項３０】
前記濾過コンポーネントが、前記シースが前記血管内に配置さている間に前記シースから取り外し可能である、請求項１から２９のいずれか一項に記載の生体内配置可能濾過装置。
【請求項３１】
一以上の追加の治療薬が前記濾過材によって濾過される、請求項１から３０のいずれか一項に記載の生体内配置可能濾過装置。
【請求項３２】
前記治療薬が化学療法剤である、請求項１から３１のいずれか一項に記載の生体内配置可能濾過装置。
【請求項３３】
前記化学療法剤がドキソルビシンである、請求項３２の生体内配置可能濾過装置。
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
外科プローブであって、
近位端で多点光ビームを受光し、かつ遠位端で前記多点光ビームを出射するように構成された屈折率分布（ＧＲＩＮ）ファイバーを有するカニューレアセンブリと、
アダプタであって、
前記ＧＲＩＮファイバーの前記近位端を有する前記カニューレアセンブリを受容するように構成される遠位端と、
コネクタを介して光ガイドに結合し、かつレーザー源から前記アダプタへ前記光ガイドによって送達される光を受光するように構成される近位端と、
前記光ガイドによって送達された前記光を前記ＧＲＩＮファイバーの前記近位端に結合するように構成された界面と、を有するアダプタと、を備え、
前記ＧＲＩＮファイバーの長さが、光凝固手術中、前記界面を患者の眼の外側にしておくように十分に長い、外科プローブ。
【請求項２】
前記光ガイドが、ファイバー束を備える、請求項１に記載の外科プローブ。
【請求項３】
前記光ガイドが、単一光ファイバーを備え、
前記アダプタが、前記界面で、
前記光ファイバーに光学的に結合されたレンズと、
前記レンズに光学的に結合された回折ビームスプリッタと、を備える、請求項１に記載の外科プローブ。
【請求項４】
前記ＧＲＩＮファイバーの長さが、３０〜１００ｍｍの範囲内である、請求項１に記載の外科プローブ。
【請求項５】
前記カニューレアセンブリが、
前記ＧＲＩＮファイバーを円筒状に入れるように構成されたカニューレと、
ハンドピースであって、
前記カニューレを前記アダプタに結合することと、
熱交換システムを提供することと、
外科医または外科的機械によって操作されることと、のうちの少なくとも１つのために構成されたハンドピースと、を備える、請求項１に記載の外科プローブ。
【請求項６】
前記カニューレが、熱伝導性が高い金属を含む、請求項５に記載の外科プローブ。
【請求項７】
前記ＧＲＩＮファイバーが、前記ＧＲＩＮファイバーの長さに沿って熱伝導性が高い接着剤を用いて前記カニューレの中に入れられる、請求項５に記載の外科プローブ。
【請求項８】
前記カニューレアセンブリは、使い捨てであり、
前記アダプタは、使い捨てではない、請求項１に記載の外科プローブ。
【請求項９】
前記外科プローブは外科光システムに光学的に結合される、前記外科プローブであって、
前記光ガイドに光を提供するように構成された光源と、
前記外科光システムの動作を制御するように構成された制御プロセッサと、を備える、請求項１に記載の外科プローブ。
【請求項１０】
外科プローブを製造する方法であって、
近位端で多点光ビームを受光し、かつ遠位端で前記多点光ビームを出射するように構成された屈折率分布（ＧＲＩＮ）ファイバーをカニューレシステムの中に入れることと、
前記ＧＲＩＮファイバーの前記近位端を有する前記カニューレシステムをアダプタの遠位端に結合することと、
コネクタを介して、レーザー源から前記アダプタに光を送達するように構成された光ガイドを前記アダプタの近位端に結合することと、を含み、
前記アダプタが、前記光ガイドによって送達された前記光を前記ＧＲＩＮファイバーの前記近位端に結合するように構成された界面を備え、
前記ＧＲＩＮファイバーの長さが、光凝固手術中、前記界面を患者の眼の外側にしておくように十分に長い、方法。
【請求項１１】
前記光ガイドを結合することが、
ファイバー束を前記アダプタの前記近位端に結合することを含む、請求項１０に記載の方法。
【請求項１２】
前記光ガイドを結合することが、
単一光ファイバーを前記アダプタの前記近位端に結合することを含み、
前記アダプタが、前記界面で、
前記光ファイバーに光学的に結合されたレンズと、
前記レンズに光学的に結合された回折ビームスプリッタと、を備える、請求項１０に記載の方法。
【請求項１３】
前記ＧＲＩＮファイバーの長さが、３０〜１００ｍｍの範囲内である、請求項１０に記載の方法。
【請求項１４】
前記カニューレシステムが、
前記ＧＲＩＮファイバーを入れるように構成されたカニューレと、
ハンドピースであって、
前記カニューレを前記アダプタに結合することと、
熱交換システムを提供することと、
外科医または外科的機械によって操作されることと、のうちの少なくとも１つのために構成されたハンドピースと、を備える、請求項１０に記載の方法。